(57)【要約】【課題】ソール張出部の上面側凹所及び下面側凹所を深くすることができ、重量やバランスの調整の自由度を大きくすることができるアイアン型ゴルフクラブヘッドを提供する。【解決手段】アイアン型ゴルフクラブヘッド１は、本体部２と、本体部２に連なるホゼル部３とを有している。本体部２の前面がフェース面２ｆである。本体部２の下部は後方に膨出した形状の張出部（ソールバルジ）４となっている。ソールバルジ４のトウ側及びヒール側に上面側凹所５，６が設けられ、それらの間に下面側凹所７が設けられている。上面側凹所５，６と該下面側凹所７とは、少なくとも一部が、トウ側からの透視側面図において重なり合うように設けられている。【選択図】図１
2014217668.tif 000002
【特許請求の範囲】
【請求項１】
フェース面及びソール面を備えた本体部と、該本体部に連なるホゼル部とを有し、
該本体部の背面の下部は後方に張り出した張出部となっているアイアン型ゴルフクラブヘッドであって、
該張出部の上面から下方に向って設けられた上面側凹所と、該張出部の下面から上方に向って設けられた下面側凹所とを有するアイアン型ゴルフクラブヘッドにおいて、
該上面側凹所と該下面側凹所とは、少なくとも一部が、トウ側からの透視側面図において重なり合うように設けられていることを特徴とするアイアン型ゴルフクラブヘッド。
【請求項２】
請求項１において、前記上面側凹所として、トウ側の上面側凹所とヒール側の上面側凹所とが設けられており、該トウ側の上面側凹所及びヒール側の上面側凹所との間に前記下面側凹所が設けられていることを特徴とするアイアン型ゴルフクラブヘッド。
【請求項３】
請求項２において、該下面側凹所の前後方向の幅が前記上面側凹所の前後方向の幅よりも小さいことを特徴とするアイアン型ゴルフクラブヘッド。
【請求項４】
請求項１において、前記上面側凹所は、トウ側凹所及びヒール側凹所と、該トウ側凹所とヒール側凹所とを連通するセンター凹所とを有し、該センター凹所の後側に前記下面側凹所が設けられていることを特徴とするアイアン型ゴルフクラブヘッド。
【請求項５】
請求項１において、前記上面側凹所は前記張出部のトウ側からヒール側まで延在しており、前記下面側凹所は、該上面側凹所の後側に位置することを特徴とするアイアン型ゴルフクラブヘッド。
【請求項６】
請求項１において、前記下面側凹所の天井部は前記上面側凹所の最深部よりも上位となっていることを特徴とするアイアン型ゴルフクラブヘッド。
【発明の詳細な説明】
【技術分野】
【０００１】
本発明は、アイアン型ゴルフクラブヘッドに係り、詳しくは、ソール側を後方に突出させた張出部を有し、この張出部の上面及び下面にそれぞれ凹所を設けたアイアン型ゴルフクラブヘッドに関するものである。
【背景技術】
【０００２】
アイアン型ゴルフクラブとしては、フェアウェー、ラフ、バンカーなどからのショットや、ショートホール（パー３のホール）のティーショット等に主として用いられるアイアンクラブのほか、アイアンヘッドに近似した形状のヘッドを有したユーティリティクラブが用いられている。
【０００３】
アイアンのヘッドとしては、ステンレススチール、炭素鋼、各種合金などでフェース部からホゼル部まで形成したものが広く用いられている。
【０００４】
アイアンのヘッドは、ボールをヒットするためのフェース面と、地面に対面するソール面とを有する。ヘッドのヒール側にホゼル部が設けられ、このホゼル部にシャフトが挿入され、接着剤などの固着手段によって固着される。
【０００５】
ヘッドのソール側を後方に突出させた形状の張出部を有するアイアン型ゴルフクラブヘッドは、ヘッドの重心が低く、また重心のフェース面からの距離（重心深度）が大きい。このような張出部を有するアイアン型ゴルフクラブヘッドは、非力なプレーヤーに好まれる傾向がある。
【０００６】
特許文献１には、このソール張出部の上面と下面の双方にそれぞれ凹所を設けることにより、アイアン型ゴルフクラブヘッドのバランス調整、重量調整を図ることが記載されている。
【０００７】
特許文献２には、ソールの前縁部に沿って溝（チャンネル）を設けたアイアンヘッドが記載されている。特許文献２によると、この溝を設けることにより、ボールをヒットしたときの反発特性が向上する。
【０００８】
ゴルフクラブヘッドに関連した特許文献として、特許文献３〜８がある。
【先行技術文献】
【特許文献】
【０００９】
【特許文献１】特開平８−１０３５９
【特許文献２】米国特許公開２０１２／０１９６７０３
【特許文献３】米国特許５７４９７９５
【特許文献４】米国特許７９８０９６０
【特許文献５】米国特許５４７２２０３
【特許文献６】米国特許公開２０１２／０２８９３６１
【特許文献７】米国特許公開２０１２／０２０２６１５
【特許文献８】実用新案登録３１１５１４７
【発明の概要】
【発明が解決しようとする課題】
【００１０】
特許文献１では、ソール張出部の上面側凹所の下方に下面側凹所が配置されているため、上面側凹所及び下面側凹所のいずれも深さが小さく、ヘッドの重量やバランスの調整の自由度が小さい。本発明は、ソール張出部の上面側凹所及び下面側凹所を深くすることができ、重量やバランスの調整の自由度を大きくすることができるアイアン型ゴルフクラブヘッドを提供することを目的とする。
【課題を解決するための手段】
【００１１】
本発明のアイアン型ゴルフクラブヘッドは、フェース面及びソール面を備えた本体部と、該本体部に連なるホゼル部とを有し、該本体部の背面の下部は後方に張り出した張出部となっているアイアン型ゴルフクラブヘッドであって、該張出部の上面から下方に向って設けられた上面側凹所と、該張出部の下面から上方に向って設けられた下面側凹所とを有するアイアン型ゴルフクラブヘッドにおいて、該上面側凹所と該下面側凹所とは、少なくとも一部が、トウ側からの透視側面図において重なり合うように設けられていることを特徴とする。
【００１２】
本発明の一態様では、上面側凹所として、トウ側の上面側凹所とヒール側の上面側凹所とが設けられており、該トウ側の上面側凹所及びヒール側の上面側凹所との間に下面側凹所が設けられている。この場合、該下面側凹所の前後方向の幅が前記上面側凹所の前後方向の幅よりも小さくてもよい。
【００１３】
本発明の別の一態様では、上面側凹所は、トウ側凹所及びヒール側凹所と、該トウ側凹所とヒール側凹所とを連通するセンター凹所とを有し、該センター凹所の後側に下面側凹所が設けられている。
【００１４】
本発明のさらに別の一態様では、上面側凹所は張出部のトウ側からヒール側まで延在しており、下面側凹所は、該上面側凹所の後側に位置する。
【発明の効果】
【００１５】
本発明のアイアン型ゴルフクラブヘッドにあっては、張出部に設けられた上面側凹所と下面側凹所との少なくとも一部がトウ側からの透視側面図において重なり合う配置となっているため、上面側凹所によりヘッドの重量やバランスの調整の自由度が高くなり、さらに上面側凹所を設けながらも、上面側凹所の位置に影響をうけず下面側凹所をフェース面側に配置することができる。これにより、アイアン型ゴルフクラブヘッドの重量やバランスの調整の自由度が高くなる。
【図面の簡単な説明】
【００１６】
【図１】第１の実施の形態に係るアイアン型ゴルフクラブヘッドの背面図である。
【図２】第１の実施の形態に係るアイアン型ゴルフクラブヘッドの斜視図である。
【図３】第１の実施の形態に係るアイアン型ゴルフクラブヘッドの下方からの斜視図である。
【図４】図１のIV−IV線断面図である。
【図５】図１のＶ−Ｖ線断面図である。
【図６】図１のVI−VI線断面図である。
【図７】図１のVII−VII線断面図である。
【図８】第２の実施の形態に係るアイアン型ゴルフクラブヘッドの断面図である。
【図９】第３の実施の形態に係るアイアン型ゴルフクラブヘッドの断面図である。
【図１０】第４の実施の形態に係るアイアン型ゴルフクラブヘッドの断面図である。
【図１１】図１０のアイアン型ゴルフクラブヘッドの背面図である。
【図１２】アイアン型ゴルフクラブヘッドのトウ側からの透視側面図である。
【発明を実施するための形態】
【００１７】
図１〜７を参照して第１の実施の形態について説明する。
【００１８】
このアイアン型ゴルフクラブヘッド１は、本体部２と、本体部２に連なるホゼル部３とを有している。ホゼル部３にはシャフトを差し込むためのホゼル穴（図示略）が設けられている。本体部２の前面がフェース面２ｆであり、多数のスコアライン（溝、図示略）が設けられている。本体部２の下部は後方に膨出した形状の張出部（以下、ソールバルジという。）４となっている。
【００１９】
本体部２の背面の周縁部のうちトウ側、トップ側及びヒール側は、凸条よりなるバックフリンジ部２ａとなっている。バックフリンジ部２ａで囲まれた領域がバック面２ｂとなっている。
【００２０】
ソールバルジ４は、ゴルフクラブヘッド１のトウ側からヒール側まで延在している。ソールバルジ４の底面がソール面４ｓである。この実施の形態では、ソールバルジ４の背面は、ソール面４ｓの後縁に連なり、フェース面２ｆ側に向って上り勾配の斜面４ａとなっている。この斜面４ａのトウ側及びヒール側は前記バックフリンジ部２ａに連なっている。ソールバルジ４のトウ・ヒール方向の中央部付近の最上面は、バック面２ｂと略垂直な上面４ｂとなっている。
【００２１】
この実施の形態では、この上面４ｂのトウ側及びヒール側にそれぞれ上面側凹所５，６が設けられている。また、ソール面４ｓに下面側凹所７が設けられている。下面側凹所７は上面側凹所５，６の間に位置している。上面側凹所５，６と下面側凹所７とは、図１２の通り、その少なくとも一部がトウ側からの透視側面図において重なり合うように設けられている。なお、トウ側からの透視側面図とは、フェース面２ｆを前方側から見た状態を正面図とした場合における左側面図（すなわちトウ側の側面図）であって、かつ各凹所５〜７を透視した側面図のことである。
【００２２】
上面側凹所５，６は、フェース面２ａと略平行にソール面４ｓに向って延在している。上面側凹所５，６のトウ・ヒール方向の長さＷ５，Ｗ６（図１）は５〜４０ｍｍ特に１０〜２０ｍｍ程度が好ましい。上面側凹所５，６のフェース面２ａと垂直方向の幅（前後幅）Ｔ５（図４），Ｔ６（図６）は１〜１０ｍｍ特に２〜５ｍｍ程度が好ましい。上面側凹所５，６のフェース側の内面５ｆ，６ｆはフェース面２ｆと平行である。該内面５ｆ，６ｆのフェース面２ａからの距離Ｄ５，Ｄ６は１〜５ｍｍ特に２〜４ｍｍ程度が好ましい。
【００２３】
上面側凹所５，６の最深部５ｅ，６ｅのソール面４ｓからの高さＨ５，Ｈ６（図４，６）は１〜１０ｍｍ特に２〜５ｍｍ程度が好ましい。上面側凹所５，６同士の間の距離Ｌ（図１）は２〜４０ｍｍ特に２０〜３０ｍｍ程度が好ましい。
【００２４】
なお、この実施の形態では、図４，６の通り、上面側凹所５，６のフェース面側の内面５ｆ，６ｆはバック面２ｂと面一状となっているが、これに限定されない。
【００２５】
下面側凹所７はトウ・ヒール方向に延在した深いスリット状となっており、上面側凹所５の直近から上面側凹所６の直近までトウ・ヒール方向に延在している。下面側凹所７のトウ・ヒール方向の長さＷ７は１０〜４０ｍｍ特に２０〜３０ｍｍ程度が好ましい。図５の通り、下面側凹所７のフェース面２ｆと垂直方向の幅Ｔ７は１〜１０ｍｍ特に２〜４ｍｍ程度が好ましい。この幅Ｔ７は、上面側凹所５，６の幅Ｔ５、Ｔ６の１０〜１００％特に３０〜６０％であることが好ましい。
【００２６】
下面側凹所７の天井部７ｅとソールバルジ上面４ｂとの距離Ｃは２〜３０ｍｍ特に１０〜２０ｍｍ程度が好ましい。下面側凹所７のフェース面２ｆからの距離Ｄ７は１〜２０ｍｍ特に１〜１０ｍｍ程度、さらには１〜５ｍｍ程度が好ましい。
【００２７】
上面側凹所５，６の最深部５ｅ，６ｅは下面側凹所７の天井部７ｅよりも好ましくは０．１〜２０ｍｍ特に好ましくは４〜１０ｍｍ下位に位置している。
【００２８】
このように構成されたアイアン型ゴルフクラブヘッド１にあっては、上面側凹所５，６と下面側凹所７とがトウ・ヒール方向にずれた配置となっている。そして、ヘッド１のトウ側からの透視側面図（図１２）において、上面側凹所５，６と下面側凹所７とが少なくとも部分的に重なり合うので、上面側凹所５，６を設けながらも、上面側凹所５，６の位置に影響をうけず下面側凹所７をフェース面側に配置することができるので、ヘッド１の重量、バランスの調整の自由度が大きい。また、反発特性も向上する。
【００２９】
この実施の形態では、トウ・ヒール方向に延在する深いスリット状の下面側凹所７がフェース面２ｆに近接して設けられており、深い凹穴状の上面側凹所５，６をトウ側及びヒール側にそれぞれ設けているので、フェース面の中央で打撃した場合の反発特性の向上効果を得ながら、上面側凹所の構造によるヘッド機能の向上効果も得ることができる。
【００３０】
図８〜１１を参照して第２〜４の実施の形態に係るアイアン型ゴルフクラブヘッドの本体部２Ａ，２Ｂ，２Ｃについて説明する。なお、図８〜１０は図７と同一箇所の断面を示している。図１１は図１０の本体部２Ｃを有したヘッド１’の背面図である。
【００３１】
図８のヘッド本体部２Ａでは、上面側凹所１０は、トウ側凹所１１、ヒール側凹所１２及びこれらの凹所１１，１２に連通するセンター凹所１３とからなる。各凹所１１〜１３のフェース面２ｆ側の内面は面一状となっている。トウ側凹所１１及びヒール側凹所１２は、センター凹所１３よりもフェース面２ｆと垂直方向の幅（前後幅）が大きい。
【００３２】
凹所１１，１２間に下面側凹所１４が設けられている。この下面側凹所１４はセンター凹所１３と略平行な深いスリット状となっている。上面側凹所１０と下面側凹所１４とは、少なくとも一部がトウ側からの透視側面図において重なり合うように設けられている。下面側凹所１４の天井部は上面側凹所１０の最深部よりも上位となっている。下面側凹所１４はセンター凹所１３の後側に位置している。下面側凹所１４の前後幅は凹所１１，１２の前後幅よりも小さい。この本体部２Ａを有するヘッドにおいても、重量、バランスの調整の自由度が大きい。なお、この図８のヘッドによると、上面側凹所をより大きく配置させつつ、下面側凹所をフェース面の中央に配置させる事ができる。これにより、フェース面の中央で打撃した場合の反発特性の向上を得ながらも、上面側凹所の構造によるヘッド機能の向上も得ることができる。
【００３３】
図９のヘッド本体部２Ｂにあっては、上面側凹所２０及び下面側凹所２１は、トウ近傍部からヒール近傍部まで連続して延在している。上面側凹所２０と下面側凹所２１とは、少なくとも一部がトウ側からの透視側面図において重なり合うように設けられている。下面側凹所２１の天井部は上面側凹所２０の最深部よりも上位となっている。下面側凹所２１は上面側凹所２０の後側に位置している。なお、下面側凹所２１のトウ側及びヒール側にあっては、センター部に比べ、フェース面２ｆと垂直方向の幅（前後幅）が若干大きくなっている。逆に、上面側凹所２０のトウ側及びヒール側にあっては、センター部に比べ、フェース面２ｆと垂直方向の幅（前後幅）が若干小さくなっている。上面側凹所２０と下面側凹所２１とは、少なくとも一部がトウ側からの透視側面図において重なり合うように設けられている。
【００３４】
この本体部２Ｂを有するヘッドにおいても、重量、バランスの調整の自由度が大きい。なお、この態様によると、上面側凹所をより大きく配置させつつ、下面側凹所をトウ側からヒール側にわたり配置させる事ができる、この事でフェース面の広い範囲において反発特性の向上を得られ、上面側凹所の構造によるヘッド機能の向上も得ることができる。
【００３５】
図１０，１１の本体部２Ｃを有するヘッド１’にあっては、上面側凹所３０は、トウ側凹所３１、ヒール側凹所３２及びこれらの凹所３１，３２に連通するセンター凹所３３とからなる。各凹所３１〜３３のフェース面２ｆ側の内面は面一状であり、フェース面２ｆと略平行となっている。上面側凹所３０の前後幅はトウ側からヒール側まで一様である。
【００３６】
トウ側凹所３１及びヒール側凹所３２はセンター凹所３３よりも深い。トウ側凹所３１及びヒール側凹所３２からセンター凹所３３にかけて深さが徐々に小さくなっている。
【００３７】
下面側凹所３４は、フェース面２ｆと略平行にトウ・ヒール方向に延在している。ヘッド１’の背面図（図１１）において、下面側凹所３４はトウ側凹所３１とヒール側凹所３２との間に位置している。下面側凹所３４の側縁はトウ側凹所３１とヒール側凹所３２の側縁に沿っている。下面側凹所３４の天井部はセンター凹所３３の底面に沿ってトウ・ヒール方向に延在している。下面側凹所３４の天井部はトウ側凹所３１及びヒール側凹所３２の底部よりも上位に位置しているが、センター凹所３３よりも下位に位置している。つまり、下面側凹所３４の天井部は上面側凹所３０の最深部よりも上位となっている。上面側凹所３０と下面側凹所３４とは、少なくとも一部がトウ側からの透視側面図において重なり合うように設けられている。
【００３８】
このヘッド１’のその他の構成はヘッド１と同様であり、同一符号は同一部分を示している。
【００３９】
このヘッド１’においても、重量、バランスの調整の自由度が大きい。なお、この図１０，１１のヘッド１’によると、上面側凹所をより大きく配置させつつ、下面側凹所をフェース面の中央に配置させる事ができる。これにより、フェース面の中央で打撃した場合の反発特性の向上を得ながらも、上面側凹所の構造によるヘッド機能の向上も得ることができる。
【００４０】
上記実施の形態は本発明の一例であり、本発明は図示以外の形態とされてもよい。例えば、凹所の形状や深さは図示以外とされてもよい。
【００４１】
図示のアイアン型ゴルフクラブヘッド１，１’は、従来のアイアンヘッドと略同一の外観構成のものであるが、本発明はアイアンヘッドに近似した外観形状のアイアン型ユーティリティヘッドにも適用することができる。
【符号の説明】
【００４２】
１，１’  アイアン型ゴルフクラブヘッド
２，２Ａ，２Ｂ，２Ｃ  本体部
２ｆ  フェース面
３  ホゼル部
４  張出部（ソールバルジ）
５，６，１０，２０，３０  上面側凹所
７，１４，２１，３４  下面側凹所
１１，３１  トウ側凹所
１２，３２  ヒール側凹所
１３，３３  センター凹所
【図１】
2014217668.tif 000003
【図２】
2014217668.tif 000004
【図３】
2014217668.tif 000005
【図４】
2014217668.tif 000006
【図５】
2014217668.tif 000007
【図６】
2014217668.tif 000008
【図７】
2014217668.tif 000009
【図８】
2014217668.tif 000010
【図９】
2014217668.tif 000011
【図１０】
2014217668.tif 000012
【図１１】
2014217668.tif 000013
【図１２】
2014217668.tif 000014